(57)【要約】      （修正有）【課題】洗濯後に五本指靴下を履く時、新品の靴下と同様にスムーズに履くことができる五本指靴下の指形状保持具を提供する。【解決手段】五本指靴下の指部に挿入される本体に並列される５本の突起が本体と一体で形成されている。各突起５ａ〜５ｅはそれぞれ先端が丸味を帯びており、五本指靴下１０の先端の各指部１０ａ〜１０ｅに挿入できるような外径とする。【選択図】図４
0003206223.tif 000002
【実用新案登録請求の範囲】
【請求項１】
五本指靴下１０の指部側に挿入される本体には、五本の指部に各々挿入される五本の突起５ａ〜５ｅが前記本体に一体に突出され前記突起には排水部が形成されている五本指靴下の指形状保持具。
【請求項２】
五本指に挿入される各突起に形成された排水部をスリット６ａ〜６ｅとした請求項１に記載の五本指靴下の指形状保持具。
【請求項３】
五本指に挿入される各突起に形成された排水部を透孔７ａ〜７ｅとした請求項１に記載の五本指靴下の指形状保持具。
【請求項４】
各突起の排水部と本体の空洞内部８とを連通させた請求項１に記載の五本指靴下の指形状保持具。
【考案の詳細な説明】
【技術分野】
【０００１】  本考案は、洗濯、干し乾燥後の指部の変形を整形せずにスムースに履ける便利な五本指靴下の指形状保持具に関するものである。
【背景技術】
【０００２】  五本指靴下の利点は各指を単独包囲し、蒸れ、水虫予防等の効果が期待できるが、洗濯後の着用時に靴下の各指部にうまく入らないという欠点が指摘されている。
そこで、従来、洗濯後の指部の変形を、先端が球形をした３本の支持軸を介して柄部に固定した修正具が提案されている。（特許文献１参照）
【先行技術文献】
【特許文献】
【特許文献】特開２０１２−３４８９５号公報
【考案の概要】
【考案が解決しようとする課題】
【０００３】  特許文献１の提案は洗濯後の靴下を先端が球形した修正具で各指部の変形を整形するものであり、スムースに履くには整形するという修正具と手間が必要であった。【０００４】  そこで、従来は、洗濯後に、靴下を履くためには靴下の履き口部から靴下の先端部の指部に向け修正具を挿入し指部の変形を直すため３本の先端が球形をした修正具を用いて最低２回は指部に修正具を差し込む必要があり複数枚の靴下の各指部の整形をするのにはかなりの手間を要するという問題点があった。【０００５】  前記特許文献１は五本指靴下を洗濯後に手間を掛けずにスムースに履くことができず修正具を２度も靴下内に差し込み、大きさに合わせて長さの調整も行わなければならないという不便さの問題点があった。【０００６】  特許文献１は、洗濯後に靴下を履く時の整形する手間を省くという問題点を解決する手段にはなっていなかった。
本考案は、従来の前記問題点に鑑みて工夫されたもので、洗濯後の靴下を履く時に新品の靴下と同様にスムースに履くことができる五本指靴下の指形状保持具を提供することを目的とする。
【課題を解決するための手段】
【０００７】前記目的を達成するために本考案は、突起は本体と一体で作られており突起は本体先端に並列されている。本体を靴下の履き口部から靴下内の先端の指部に向け指部整形のための突起を各々の指部に挿入することを特徴としている。
この構成によれば、片手（例えば左手）で靴下の履き口部を持ち、もう片方の手（例えば右手）で本体を持って突起を先にして靴下の履き口部から靴下内先端の指部に向けて突起を差し込む（靴下が左足の場合本体突起の一番太い突起を右側にする）ことにより、靴下を脱いだ時に手前に裏返っている指部も突起により先端側に突き出し状態にすることができ、そのまま洗濯機に投入することができる。各突起の間隔は３ｍｍから７ｍｍが適当である。指の太さは一般的に親指が太く、人差し指、中指、薬指、小指と次第に小さくなるので、それに合わせた太さとする。女性の指太さは更に小さくなり、子供の指太さも更に小さくなる。本体は親指側（太い方）を右に向けた場合と左に向けた場合左右どちらの五本指靴下にも使える。【０００８】  第２の問題解決手段は、洗濯後に指形状保持具を挿入したまま干し乾燥することを提供するものであり靴下の伸び変形を防止するため本体の材質をプラスチックとすることにより軽量化したものである。
【考案の効果】
【０００９】  上述したように本考案の指形状保持具は、干し乾燥後の指形状を保持し、五本指靴下を履く時に整形する煩わしさ、不便さもなく履くことを提供でき、材質をプラスチックとすることで、靴下の伸び防止効果を提供できる。
【図面の簡単な説明】
【００１０】
【図１】  本考案の実施形態を示す平面図である。
【図２】  本考案のＢ視図である。
【図３】  本考案のＣ−Ｃ断面図である。
【図４】  本考案の実施形態を示す平面図である。
【考案を実施するための形態】
【００１１】  以下、本考案に係る指形状保持具の実施形態を図面を参照して説明する。
図１は、本考案に係る指形状保持具の実施形態であって、五本指靴下の指部に挿入される本体に並列される５本の突起が本体と一体で形成されている。各突起５ａ〜５ｅはそれぞれ先端が丸味を帯びており、五本指靴下１０の先端の各指部１０ａ〜１０ｅに挿入できるような外径、例えば、男性の親指径２４ｍｍ、人差し指径２１ｍｍ、中指径１８ｍｍ、薬指１５ｍｍ、小指径１２ｍｍ程度の外径とされ、女性の指径は更に小さくなり、子供の指径も更に小さくなる。本考案は、この実施形態のみに制約されるものではなく、請求の範囲内に記載の範囲内で自由に変更して実施することができる。例えば必要に応じて指径を変更することができる。各突起５ａ〜５ｅの各突起先端は丸味を帯びており靴下１０の各指部１０ａ〜１０ｅに挿入しても突き破ることはない。
【００１２】  各突起５ａ〜５ｅに排水部としては、図１に示すようにスリット６ａ〜６ｅが形成されている。このスリット６ａ〜６ｅは、突起５ａ〜５ｅの縦方向に形成されている。さらに、スリット６ａ〜６ｅの本体５側は空洞内部８に連通している。
【００１３】  図２は、本体５を側面から現しており突起５ａ〜５ｅは、内部が空洞になっていて透孔７ａ〜７ｅがこの空洞と外部が連通するよう形成されている。
【００１４】  図３は、図２の本体断面Ｃ−Ｃを現しており各突起５ａ〜５ｅの排水部スリット６ａ〜６ｅと本体５の空洞内部８との連通が形成されている。
【００１５】  図４は、突起５ａ〜５ｅを９０度回転させて本体５と一体形成させたものであり、構造、実施内容においては前記説明内容と同様である。
【００１６】  この形状保持具の使い方について説明する。まず、洗濯前の靴下１０の各指部１０ａ〜１０ｅに突起５ａ〜５ｅを各々挿入する。この状態で洗濯して乾燥させる。乾燥するとき靴下１０の各指部１０ａ〜１０ｅの水分がスリット６ａ〜６ｅ、あるいは透孔７ａ〜７ｅの排水部から放出されるので、乾燥が早くなる。
その後、靴下１０が乾燥した後、形状保持具を取り出す。この状態では、各突起５ａ〜５ｅの形状に保持されているので、履き易くなる。
【符号の説明】
【００１６】５              指形状保持具本体
５ａ〜５ｅ      突起
６ａ〜６ｅ      スリット
７ａ〜７ｅ      透孔
８              空洞
９              持ち手部
１０            五本指靴下
１０ａ〜１０ｅ  指部
１０ｆ          履き口部
１０ｇ          踵部
【図１】
0003206223.tif 000003
【図２】
0003206223.tif 000004
【図３】
0003206223.tif 000005
【図４】
0003206223.tif 000006